(57)【特許請求の範囲】
【請求項１】
活性を有する気体分子を含有する空間の圧力測定が可能な水晶摩擦真空計であって、
Ａｕ膜からなる電極膜とＣｒ膜からなる下地膜の二層構造を有する電極を表面に有する水晶振動子と、
内側に前記水晶振動子を収容し、一端部側に開口部を有するとともに他端部側が封止された管状の保護ケースと、
前記保護ケースの外径寸法よりも大きな内径寸法を有し、前記開口部および外壁との間に隙間を有した状態で被せられた有底円筒状の保護キャップとを備え、
前記活性を有する気体分子は、前記隙間を通って前記開口部に導かれることを特徴とする水晶摩擦真空計。
【発明の詳細な説明】
【技術分野】
【０００１】
本発明は、水晶摩擦真空計および該水晶摩擦真空計を用いた計測方法に関し、特に、音叉型水晶振動子等を利用して構成され成膜チャンバ等の内部圧力を測定する水晶摩擦真空計に関する。
【背景技術】
【０００２】
真空領域を利用する各種半導体製造装置や電子デバイス製造装置では、装置の立上げ、メンテナンス、各種のプロセスに応じて、大気圧から高真空領域にかけての広範囲における圧力の測定が必要となる。このため測定の用途に応じて様々な真空計が使い分けられている。
【０００３】
一般的に、１０5〜１Ｐａ程度の高圧力領域（低真空領域）では、ピラニ真空計等の熱伝導真空計、水晶摩擦真空計、回転型粘性真空計に代表される気体の輸送現象に基づく真空計が使用される。プロセス中の圧力測定では圧力制御の容易性および高精度といった要求を満たす隔膜真空計が主に使用される。他方、１Ｐａ以下の低圧力領域（高真空領域）では、ベヤードアルパート型電離真空計（以下「Ｂ−Ａ型電離真空計」と記す）に代表される電離真空計が広く使用される。
【０００４】
ここで水晶摩擦真空計について説明する。水晶摩擦真空計は、気体の輸送現象に基づく真空計の一種である。
【０００５】
水晶摩擦真空計では水晶振動子が用いられる。エレクトロニクス分野で広く使用される水晶振動子は、圧電素子であって、共振時での電気的インピーダンス（共振インピーダンス）が周囲の気体の圧力に応じて変化するという特性を有している。水晶振動子の共振インピーダンスは、分子流領域では圧力に比例し、粘性流領域では圧力の１／２乗に比例するという特性を有している。中でも、音叉型水晶振動子は最も大きな共振インピーダンス変化を示す。このような水晶振動子を利用して構成された真空計が水晶摩擦真空計である。水晶摩擦真空計によれば、水晶振動子と周囲の気体の分子（圧力要因）との間の摩擦効果を利用して当該気体の圧力を測定するものであり、水晶振動子の共振インピーダンスの変化を検出することにより圧力値を得ることができる。具体的には、水晶振動子の固有共振抵抗（Ｚ0）と測定した共振抵抗（Ｚ）との差ΔＺに基づいて気体の圧力を測定する。
【０００６】
上記水晶摩擦真空計に関連する従来技術として、特許文献１に示される水晶真空計や、特許文献２に開示される音叉型水晶振動子による圧力測定方法が存在する。
【０００７】
特許文献１に開示される水晶摩擦真空計は、圧力測定対象である真空容器に付設される測定容器内に配置されて使用されるものであり、真空容器の電位が不安定であっても、その影響を受けず、安定して正確な測定を行えるようにするための水晶真空計である。特許文献１によれば、被測定真空容器に付設される測定容器における水晶振動子の取付け構造を工夫することにより、上記課題を達成している。
【０００８】
特許文献２に示される音叉型水晶振動子による圧力測定方法は、音叉型水晶振動子を利用して広範囲の圧力測定を行うものであり、当該水晶振動子の固有共振抵抗と実測共振抵抗との差から気体の圧力を測定するものにおいて、固有共振抵抗について、音叉型水晶振動子の温度を共振周波数に基づいて求め、この求められた温度に応じた抵抗値を用いるようにしている。すなわち、固有共振抵抗を温度条件を考慮して補正することによって、圧力の測定精度を高めている。
【０００９】
また水晶振動子の製造方法等については特許文献３に開示されている。特許文献３で開示される技術は、一定の周波数で発振する水晶振動子に関して、当該一定周波数の経時的変化を防ぐことによりその発振特性を劣化させないようにした水晶振動子およびその製造方法に関するものである。この水晶振動子によれば、腐食による重量の経時的変化を防ぐことにより周波数の経時的変化を防いでいる。すなわち、この水晶振動子では、表裏の２つの面の電極上に絶縁膜を堆積して当該電極を安定な絶縁膜で保護し、電極それ自体の腐食等による重量の経時的変化を抑え、これにより周波数の経時的変化を防いでいる。
【００１０】
次に、図４〜図７を参照して、従来の水晶摩擦真空計の装置構成、およびこの水晶摩擦真空計に利用される音叉型水晶振動子の構造を概念的に説明する。図４は従来の水晶摩擦真空計の装置構成図、図５は音叉型水晶振動子の要部斜視図、図６は音叉型水晶振動子の角型ロッド部の表面における電極の配置パターンを概念的に示した図、図７は電極の膜構造を示した図である。
【００１１】
図４を参照して水晶摩擦真空計の装置構成を説明する。筒型の金属製真空計容器１５の一端は開放され、開口部１５ａが形成されると共にフランジ１５ｂが形成されている。フランジ１５ｂは、被測定真空容器１１の真空計取付け部１４のフランジ１４ａに結合される。真空計容器１５のフランジ１５ｂと真空計取付け部１４のフランジ１４ａとの結合は真空封止状態を保持してボルト等で行われる。真空計取付け部１４に対して真空計容器１５は自在に取付け・取外しを行うことができる。この連結構造により、真空計容器１５の内部空間と被測定真空容器１１の内部空間とがつながる。
【００１２】
真空容器１５の開口部１５ａの反対側端部はハーメチックシール部１６によって真空封止されている。ハーメチックシール部１６には一対のリードピン１７が貫通状態でかつ真空封止された状態で固定されている。
【００１３】
水晶振動子１８は音叉型水晶振動子である。水晶振動子１８は、被測定真空容器１１側の端部に開口部２０ａを有しかつ他の端部は絶縁ガラス１９で封止された金属製の保護ケース２０内に収容されている。水晶振動子１８は保護ケース２０内に収容されかつ開口部２０ａを除いて覆われた状態で、真空計容器１５内のほぼ中央部に配置されている。また保護ケース２０も真空計容器１５内でほぼ中央位置に図示しない支持機構に基づき配置されている。
【００１４】
上記のリードピン１７の内部端には、水晶振動子１８から引き出されたリード線２１がスポット溶接によって接続されている。またリードピン１７の大気側外部端は、ケーブル２２を介して制御回路２３に接続されている。制御回路２３は交流電源を含む構成を有している。
【００１５】
以上の水晶摩擦真空計によれば、被測定真空容器１１の内部圧力は、水晶振動子１８における共振抵抗の変化を、制御回路２３で検出することにより測定される。図４において２６は、被測定真空容器１１の内部から真空計容器１５へ移動してきた反応性ガス等の活性を有する気体分子を粒子のイメージで示したものである。
【００１６】
次に図５等を参照して音叉型水晶振動子を説明する。音叉型水晶振動子１０１は平行な２本の角型ロッド部１０１ａ，１０１ｂを有する。音叉型水晶振動子１０１の表面には所定のパターンで２つの電極１０２，１０３が形成されている。その結果、図６に示されるごとく、２つの角形ロッド部１０１ａ，１０１ｂのそれぞれには図６中の上下の面および左右の面に一対の電極１０２，１０３が設けられている。これらの電極１０２，１０３の間に交流電源１０４によって一定周波数（例えば３２．８ＫＨｚ）の交流電力を供給することにより音叉型水晶振動子１０１を振動させ、共振状態を生じさせる。水晶振動子１０１では、角型ロッド部１０１ａ，１０１ｂの表面を含む所定の表面領域に電極１０２，１０３が付されている。電極１０２，１０３の素材には、図７に示すごとく、Ａｕ（金）膜１０５が用いられる。Ａｕ膜は約２００ｎｍ程度の厚みを有している。電極１０２，１０３のＡｕ膜には、水晶振動子の面との間の密着性を高めるため、下地としてＣｒ（クロム）膜１０６が用いられている。Ｃｒ膜の厚みは約２００ｎｍである。
【００１７】
上記の構造を有する音叉型水晶振動子によれば、共振状態に駆動された状態において、その共振インピーダンスを測定すると、大気圧から０．０１Ｐａの高真空状態までの圧力変化を捉えることができる。なおこの場合、音叉型水晶振動子は共振状態にあるので、共振インピーダンスはほとんど共振抵抗の分だけになっている。また共振インピーダンスに基づいて真空状態に係る圧力を測定する際、常に周波数に応じて共振インピーダンスの温度補正が行われる。
【００１８】
上記の音叉型水晶振動子を利用した水晶摩擦真空計では次の問題が提起される。
【００１９】
水晶摩擦真空計が装備される各種の半導体製造装置や電子デバイス製造装置などでは、様々なプロセス条件の要求から反応性ガスが使用される場合が多い。例えば半導体超微細加工技術として必要不可欠であるドライエッチングプロセスではＣＦ4やＣＣｌ4に代表されるフッ素系ガスや塩素系ガスが使用され、またアッシングプロセスではＯ2ガスが使用される。これらのガス（気体）は真空中でプラズマになると、化学的に活性の強いラジカルを発生する。このため、前述した従来の音叉型水晶振動子を利用した水晶摩擦真空計では、プロセス条件によって、水晶振動子の電極における下地膜であるＣｒ膜の露出部分に腐食を生じる。このようなＣｒ膜の腐食が生じると、音叉型水晶振動子の固有共振インピーダンス（主に固有共振抵抗）において経時的変化が生じる。例えばガス雰囲気によっては数時間から数週間の時間経過後に音叉型水晶振動子の固有共振インピーダンスの値が上昇し始め、１．２〜２倍程度の値になる。これは音叉型水晶振動子の固有共振抵抗の変化を意味している。このため、共振インピーダンスの変化が圧力変化に正確に対応せず、圧力の測定精度が低下する。
【００２０】
また上記固有共振インピーダンスは、温度が高くなるにつれて大きくなるという温度依存性を有している。この固有共振インピーダンスの温度依存性の特性曲線は、その増加の傾きが固有共振インピーダンスの増加に伴って急峻になるという特性を有している。水晶振動子の固有共振インピーダンスが水晶振動子の電極下地膜の腐食が原因で変化すると、圧力測定精度の維持のため、頻繁に零点調整する必要が生じる。従って圧力測定の要となる水晶振動子の固有共振インピーダンスの変化を抑えることが望まれる。
【００２１】
上記の問題を解決する手段として、真空計容器１５の接続部にカットバルブを設けて腐食を防止したり、真空計取付け位置を工夫してプロセスガスの影響を低減させることが考えられていた。しかしながら、問題の解決の観点で十分な解決策とは言えなかった。
【００２２】
上記の問題は水晶摩擦真空計だけの問題ではなく、上記の電極構造を有する水晶振動子を利用して構成される計測装置に一般的に生じる問題である。
【特許文献１】特開２０００−２８４６５号公報
【特許文献２】特開平４−９３７３５号公報（特公平７−９７０６０号公報）
【特許文献３】特開平１１−６８５０１号公報
【発明の開示】
【発明が解決しようとする課題】
【００２３】
本発明の課題は、圧力変化に応じた水晶振動子の共振インピーダンスの変化を測定して、ハロゲンや酸素等のガスを導入してプラズマを生成する反応容器内の圧力を測定する水晶摩擦真空計等の計測装置において、水晶振動子の固有共振インピーダンスの経時的変化を抑制し、さらに固有共振インピーダンスの温度依存性の経時変化も抑制しようとするものである。
【００２４】
本発明の目的は、上記の課題に鑑み、水晶振動子の電極部分の腐食を防ぎ、さらに水晶振動子の固有共振インピーダンスおよびその傾きに関する温度依存性の経時的変化を防ぎ、固有共振インピーダンスを安定して一定に保つことができ、圧力等の測定精度、および圧力測定機器等としての信頼性および寿命を向上させた水晶摩擦真空計を提供することにある。
【課題を解決するための手段】
【００２５】
本発明に係る水晶振動子を含む計測装置は、上記目的を達成するため、次のように構成される。
【００２６】
請求項１に記載された水晶摩擦真空計は、活性を有する気体分子を含有する空間の圧力測定が可能な水晶摩擦真空計であって、Ａｕ膜からなる電極膜とＣｒ膜からなる下地膜の二層構造を有する電極を表面に有する水晶振動子と、内側に水晶振動子を収容し、一端部側に開口部を有するとともに他端部側が封止された管状の保護ケースと、保護ケースの外径寸法よりも大きな内径寸法を有し、開口部および外壁との間に隙間を有した状態で被せられた有底円筒状の保護キャップとを備え、活性を有する気体分子は、隙間を通って開口部に導かれることを特徴とする。
【００２７】
水晶振動子を含む計測装置で、例えば圧力の測定では、水晶振動子の固有共振抵抗（Ｚ０） と測定した共振抵抗（Ｚ） との差ΔＺ に基づいて気体の圧力を測定する。水晶振動子に共振状態を生じさせるため、所定の配置パターンの電極を有する。この電極は、本来の電極膜と、密着性を高めるための下地膜からなる二層構造を有している。水晶摩擦真空計では、反応性を有する気体（ガス） の分子や活性種（ラジカル） 等の圧力要因が水晶振動子と接することになる。このような状況にあるので、下地膜の表面にＯ，Ｈ，Ｆ 等の活性種が輸送され、反応が生じ、摩擦量変化が発生するおそれが高い。そこで、この状態の発生を防止するため、水晶振動子に活性種等が到達したときには、活性種等の活性が失活するような構造を有したキャップ部材を設けるようにした。これによって、電極の下地膜に活性種等が侵入するのを防止することが可能となる。
【００２８】
水晶振動子は保護ケース内に収容され、通路は気体分子を保護ケースの開口部側に導く構成を有している。通路を通る気体分子が通路の壁面と衝突を繰り返しながら保護ケースの開口部側に導かれることで、保護ケースの開口部を通して水晶振動子に活性種等が到達したときには、通路によって活性種等の活性が失活するようにした。
【００２９】
また、前記の通路は、キャップ部材の外壁と保護ケースの内壁との間に形成される隙間である。この構成では、水晶振動子を収容する保護ケースの開口部側に被せられる有底円筒状のキャップ部材を用意するだけで、活性種等を導く導入部材を設けることができる。当該キャップ部材を保護ケースに被せると、保護ケースとキャップ部材との間に隙間が形成され、当該隙間が上記通路としての機能を有し、保護ケースの開口部に輸送される活性種の活性を失活させることになる。
【００３０】
上記の構成において、好ましくは、上記の通路で、気体分子を失活させる程度の十分な回数の衝突が生じることを特徴とする。上記導入部材の通路は、計測対象のガスを水晶振動子に設置箇所まで導くとともに、活性種等の活性を失活させるための機能を有するものであるから、失活を可能にする十分な衝突回数が生じるような形態を有するように形成されている。
【００３１】
上記の構成において、好ましくは、前記の通路を形成する前記キャップ部材の内壁若しくは保護ケースの外壁には前記活性種の失活を促進するコーティングが施されている。このコーティングは、ポリイミドからなる樹脂から構成されており、気体分子の活性を低減させて、安定なガスにすることができる。
【発明の効果】
【００３２】
本発明によれば、水晶振動子を利用した水晶摩擦真空計等の計測装置で、電極に電極膜と下地膜から成る二層構造を用いたものにおいて、活性種等が水晶振動子に到達した時にはその活性が失活するように、あるいは、水晶振動子を保護ケースに収容させる構造として活性種等が保護ケースの開口部に到達した時にはその活性が失活するように、導入部材を設けたため、反応性ガスや活性種に起因する下地膜の腐食を防止することができ、水晶摩擦真空計等が反応性ガスや化学的に活性な要素に曝される真空雰囲気でも測定性能に係る特性劣化や寿命の悪化などがなく、安定した圧力測定等の計測を行うことができる。
【発明を実施するための最良の形態】
【００３３】
以下に、本発明の好適な実施形態（実施例）を添付図面に基づいて説明する。
【００３４】
図１は、本発明に係る水晶振動子を含む計測装置の代表的実施形態である水晶摩擦真空計を示す。図１で示した構成において、図４で説明した要素と実質的に同じ要素には同一の符号を付している。
【００３５】
１１は被測定真空容器の一部を示している。被測定真空容器１１は、例えば、基板を処理するための真空チャンバを形成するものである。被測定真空容器１１では、内部空間１２が所要の真空状態にされ、この内部空間１２において材料ガスやプロセスガス等が導入されてプラズマが生成され、当該容器内に搬入された基板に対して所要の処理が施される。被測定真空容器１１の内部空間１２の圧力が、本実施形態による水晶摩擦真空計の測定対象となる。
【００３６】
被測定真空容器１１の壁部の一部に、測定用開口部１３を形成する真空計取付け部１４が設けられる。測定用開口部１３に通じるように、当該真空計取付け部１４に対して、水晶摩擦真空計を収容する金属製真空計容器１５が取り付けられる。真空計容器１５は筒型形状を有し、図１中、左端は開放されて開口部１５ａが形成され、さらに開口部の外側周囲にはフランジ１５ｂが形成されている。真空計容器１５のフランジ１５ｂは、真空計取付け部１４の取付け用フランジ１４ａに結合される。フランジ１５ｂと取付け用フランジ１４ａとの結合は、真空封止状態を形成してボルト等（図示せず）によって行われる。真空計取付け部１４に真空計容器１５を取り付けると、測定用開口部１３と真空計容器１５の開口部１５ａが通じる。被測定用真空容器１１の真空計取付け部１４に対して、真空計容器１５は、自在に取付けまたは取外しすることができる。この連結構造によって、真空計容器１５の内部空間と被測定真空容器１１の内部空間１２とがつながることになる。
【００３７】
真空計容器１５の図１中の右端部は、例えばハーメチックシール部１６によって封止されている。これにより真空計容器１５の内部も真空に保持される。ハーメチックシール部１６には、一対のリードピン１７が貫通状態で、かつ真空封止された状態で固定されている。
【００３８】
水晶振動子１８は音叉型水晶振動子である。水晶振動子１８は、被測定真空容器１１側の端部に開口部２０ａを有しかつ他の端部は絶縁ガラス１９で封止された金属製の保護ケース２０内に収容されている。水晶振動子１８は、保護ケース２０内に収容され、かつ開口部２０ａを除いて覆われた状態で、真空計容器１５内のほぼ中央部に配置されている。また保護ケース２０も真空計容器１５内でほぼ中央位置に図示しない支持機構に基づき配置されている。上記リードピン１７の内部端には、水晶振動子１８から引き出されたリード線２１がスポット溶接によって接続されている。またリードピン１７の大気側外部端は、ケーブル２２を介して制御回路２３に接続されている。制御回路２３は交流電源を含む構成を有している。また水晶振動子１８の電極の各リードピン１７の間には、制御回路２３に内蔵される交流電源から所要周波数の交流が与えられている。
【００３９】
保護ケース２０には、開口部２０ａを塞ぐように、保護キャップ２４が被せられている。保護キャップ２４は、有底円筒体の形状を有し、円筒部分の内径が、保護ケース２０の円筒部分の外径の寸法よりも例えば０．５ｍｍほど大きくなるような寸法で形成されている。その結果、保護ケース２０と保護キャップ２４の間には隙間２５が形成されている。この隙間２５によって通路が形成され、図示されるごとく、この通路によって反応性ガスや活性種（ラジカル）等の気体分子２６が保護ケース２０内の水晶振動子１８まで移動する。隙間２５内に示された軌跡２７は、活性種等の気体分子２６の輸送または移動の軌跡であり、複数回の衝突を繰返しながら、気体分子２６は保護ケース２０の開口部２０ａまで導かれる。保護キャップ２４の円筒部分の軸方向の寸法は、隙間２５において活性種等の気体分子２６がその活性が失活するまでに十分な衝突が行われる程度の長さに決定される。このようにして反応性ガスや活性種を含む気体分子２６は、保護ケース２０と保護キャップ２４の間に形成された隙間２５を通って、保護ケース２０の内部に設置された水晶振動子１８の設置箇所まで進入する。
【００４０】
上記の構成に基づき、水晶振動子１８の電極、リード線２１およびリードピン１７、およびケーブル２２を経由して制御回路２３に入力される信号に基づいて被測定真空容器１１の内部圧力が測定される。制御回路２３は、保護ケース２０の内部空間に配置された水晶振動子１８の共振状態における共振インピーダンス（共振抵抗）の変化を検出する。制御回路２３が、水晶振動子１８の電極から与えられる信号に基づき水晶振動子の共振インピーダンスを測定しかつその変化を検出することにより、被測定真空容器１１の内部空間１２の圧力を測定することができる。これは、水晶振動子１８の共振インピーダンスすなわち共振抵抗が圧力に応じて変化する特性を利用している。
【００４１】
水晶振動子１８の共振インピーダンスすなわち共振抵抗は、上記のごとく、圧力だけではなく、温度によっても変化する。また水晶振動子１８は、その共振周波数も、温度に応じて変化するという特性を有している。そこで、高精度の測定特性を持たせるように構成された水晶摩擦真空計では、水晶振動子１８の共振周波数の変化に基づいて温度変化を捉え、温度変化量に応じた共振インピーダンスの補正を行うことによって周囲温度の変化の影響を受けない高精度の圧力測定を行えるように構成されている。なお、圧力に変換される共振インピーダンスの変化（ΔＺ）は、下記の式（数１）で表される。
【００４２】
（数１）
ΔＺ＝Ｚ−（Ｚ0＋ＺT）
ここで、
Ｚ：圧力測定時の共振インピーダンス
Ｚ0：固有共振インピーダンス
ＺT：温度Ｔにおける共振インピーダンス補正値
【００４３】
上記の実施形態の構成によれば、水晶振動子１８を収容する保護ケース２０の外側に開口部２０ａ側から保護キャップ２４を設けるようにしている。反応性ガスや活性種を含む気体分子２６は、隙間２５において保護ケース２０の外壁と保護キャップ２４の内壁との衝突を繰返しながら進入することで、活性を失い、水晶振動子１８に到達する。このため、水晶振動子１８のＳｉＯ2基板部や電極側面部のＣｒ膜の露出部分に生じる腐食を抑制することができる。それ故、温度補償精度の悪化や寿命の悪化、さらには圧力測定値の信頼性を欠くことなく、様々なプロセス条件下で安定した圧力測定を行うことができる。
【００４４】
図２と図３によってその効果を対比的に示す。図２は酸素ラジカル環境下（圧力０．１Ｐａ程度）での標準製品の周波数特性３１とインピーダンス特性３２を示しており、図３は同じ環境下での保護キャップ付き製品の周波数特性４１とインピーダンス特性４２を示している。保護キャップを備えない水晶摩擦真空計ではインピーダンスが増大するのに対して、保護キャップを備えた水晶摩擦真空計ではインピーダンスが一定に保持され、増大しない。これにより安定な圧力測定を行うことができる。
【００４５】
上記の実施形態において、保護キャップ２４の材質にはステンレス材料を用いた。水晶摩擦真空計の使用環境に応じて、材質としてチタンやタンタル等の活性な材料を用いることができる。また保護キャップ２４の内壁や、保護ケース２０の外壁をポリイミド等の樹脂のコーティング処理を行うことも好ましい。このような表面処理を施すことにより、反応性ガスや活性種等の保護キャップ２４や保護ケース２０の壁面との反応によって当該気体分子の活性を低減させ、安定なガスにすることができる。
【００４６】
上記の実施形態によれば、活性種等の気体分子２６の通路としては保護ケース２０と保護キャップ２４の間の隙間２５を利用したが、当該通路に限定されない。水晶振動子１８に到る通路は、反応性ガスや活性種等の気体分子が水晶振動子１８に到達する前の段階でその活性を失うように所要回数の衝突を生じる通路であればよい。従って、当該通路を形作る部材は、任意の部材を選択することができる。
【００４７】
さらに上記の実施形態によれば、水晶振動子を保護ケース内に設けた構造としたが、本発明はこれに限定されない。すなわち、保護ケースは必須のものではない。上記機能を有した通路部分を備えた保護キャップに相当する導入部材を使用し、水晶振動子に対して活性を低減させた気体分子を直接に導入するように構成することもできる。
【００４８】
本実施形態に係る水晶摩擦真空計によれば、例えばスパッタ装置、プラズマＣＶＤ装置、ドライエッチング装置、アッシャ装置等のように真空計が反応性ガスや化学的に活性なラジカルにされる真空雰囲気で、特性劣化や寿命の悪化などの心配がない、安定した測定を行うことができる。
【００４９】
上記の実施形態では、水晶摩擦真空計への適用例として説明したが、本発明は水晶振動子を利用して構成されたその他の計測装置、例えば、温度計や時計、膜厚計等、さらには電離真空計との複合ゲージなどにも適用することができるのは勿論である。
【００５０】
以上の実施形態で説明された構成、形状、大きさおよび配置関係については本発明が理解・実施できる程度に概略的に示したものにすぎず、また数値および各構成の組成（材質）については例示にすぎない。従って本発明は、説明された実施形態に限定されるものではなく、特許請求の範囲に示される技術的思想の範囲を逸脱しない限り様々な形態に変更することができる。
【産業上の利用可能性】
【００５１】
本発明は、半導体製造装置等の成膜や処理のチャンバ等内の圧力測定、またはハロゲンガスを含むガスや酸素等のガスを導入しプラズマを生成する反応容器内の圧力測定、さらに電離真空計の複合ゲージ、あるいは、水晶摩擦真空計として利用される。
【図面の簡単な説明】
【００５２】
【図１】本発明に係る水晶振動子を含む計測装置の代表的実施形態である水晶摩擦真空計の構造を示す縦断面図である。
【図２】保護キャップなしの従来の水晶摩擦真空計の特性を示すグラフである。
【図３】保護キャップ付きの水晶摩擦真空計の特性を示すグラフである。
【図４】従来の水晶摩擦真空計の構造を示す縦断面図である。
【図５】従来の音叉型水晶振動子の外観を示す斜視図である。
【図６】従来の音叉型水晶振動子の２つの角型ロッド部の電極の配置を示す断面図である。
【図７】従来の二層構造の電極の積層構造を示す断面図である。
【符号の説明】
【００５３】
１１      被測定真空容器
１２      内部空間
１４      真空計取付け部
１５      真空計容器
１６      ハーメチックシール部
１７      リードピン
１８      水晶振動子
１９      絶縁ガラス
２０      保護ケース
２１      リード線
２２      ケーブル
２３      制御回路
２４      保護キャップ
【図１】
0004377196.tif 000002
【図２】
0004377196.tif 000003
【図３】
0004377196.tif 000004
【図４】
0004377196.tif 000005
【図５】
0004377196.tif 000006
【図６】
0004377196.tif 000007
【図７】
0004377196.tif 000008